(57)【特許請求の範囲】
【請求項１】
複数のキャピラリーカラムが配列され、前記キャピラリーカラムは一端側が試料注入側となって試料注入側ホルダにより固定され、他端側が検出側となって検出側ホルダにより平面上に一列に配列されて固定され、前記キャピラリーカラムの前記検出側ホルダ位置に被検出部が設けられたキャピラリーアレイと、前記試料注入側ホルダ及び前記検出側ホルダが固定され、前記キャピラリーカラムに試料が１つずつ注入されて、試料注入側の端部がバッファ液に浸され、検出側の端部が別のバッファ液に浸されるとともに、両バッファ液間を通して泳動電圧が印加されて、全てのキャピラリーカラムで同時に電気泳動されるマルチキャピラリーアレイ泳動部と、前記キャピラリーアレイの前記被検出部に光を照射し、その光と試料との相互作用による検出光を検出する検出部とを備えたマルチキャピラリー電気泳動装置において、
前記検出部は、前記被検出部の１本のキャピラリーカラムに光を集光して投光するとともにその光と試料との相互作用による検出光を受光する落射光学系と、前記落射光学系を前記キャピラリーアレイの前記被検出部での配列面と平行で泳動方向と直交する１直線に沿って往復方向に移動させる走査機構とを備えており、
前記マルチキャピラリーアレイ泳動部は、前記検出側ホルダを固定する検出側ホルダ固定部と、前記落射光学系の走査軸と前記被検出部との間の平行度を調整する平行度調整機構とを備えていることを特徴とするマルチキャピラリー電気泳動装置。
【請求項２】
前記平行度調整機構は、前記検出側ホルダ固定部の取付角度をネジの回転により調整するあおり調整機構である請求項１に記載のマルチキャピラリー電気泳動装置。
【請求項３】
前記平行度調整機構は、前記落射光学系を走査させたときの検出信号に対応して前記検出側ホルダ固定部のあおり角度を自動で調整するアクチュエータを備えた請求項１に記載のマルチキャピラリー電気泳動装置。
【請求項４】
前記検出側ホルダ固定部は、前記被検出部と前記落射光学系との間に配置され、前記被検出部に対応する位置に開口が形成され、前記被検出部の一方の面が接触される平面を備えた検出位置部材と、前記被検出部を前記検出位置部材とは反対側から前記検出位置部材に押さえつける平面を備えた被検出部押さえつけ部材とを備える請求項１，２又は３に記載のマルチキャピラリー電気泳動装置。
【発明の詳細な説明】
【０００１】
【発明の属する技術分野】
本発明は、複数のキャピラリーカラムが配列され、複数の試料が１つずつキャピラリーカラムに注入されて、全てのキャピラリーカラムで同時に電気泳動されるマルチキャピラリー電気泳動装置に関するものである。
このようなマルチキャピラリー電気泳動装置は、生化学分野や臨床検査などに用いられ、特にＤＮＡシーケンスに用いられて成果をあげている。
【０００２】
【従来の技術】
ヒトゲノムのような長大な塩基配列をもつＤＮＡの塩基配列決定には、高感度で、高速で、かつ大処理能力をもったＤＮＡシーケンサが必要となる。その１つの方法として、平板状のスラブゲルを用いたものに代わってゲルを充填したキャピラリーカラムを複数本配列したマルチキャピラリー電気泳動装置が提案されている。キャピラリーカラムは、スラブゲルに比べて、試料の取扱いや注入が容易であるだけでなく、高速に泳動させて高感度で検出できる。つまり、スラブゲルで高電圧を印加すれば、ジュール熱の影響によりバンドが広がったり、温度勾配が生じるなどの問題が生じるが、キャピラリーカラムではそのような問題は少なく、高電圧を印加して高速泳動をさせても、バンドの広がりが少なく高感度検出ができるのである。
【０００３】
特開平１０−２０６３８４号公報に開示されているマルチキャピラリー電気泳動装置（従来技術１）では、複数本のキャピラリーカラムは、一端側が試料注入側となって試料注入側ホルダにより二次元的に配列されて固定され、他端側が検出側となって検出側ホルダにより平面上に一列に配列されて固定されてキャピラリーアレイを構成している。検出側ホルダにはキャピラリーカラムの配列方向に長孔開口が形成されており、その長孔開口で露出されるキャピラリーカラムの部分は被検出部を構成する。４種類の蛍光物質により標識されたＤＮＡフラグメントを含む試料を分離検出する場合、その被検出部に励起光を照射して、被検出部に泳動されてきた試料成分から発生する蛍光を検出し、試料成分を識別している。
【０００４】
従来技術１では、励起・受光光学系として、被検出部で１本のキャピラリーカラムに励起光を集光して投光するとともに、そのキャピラリーカラムを泳動中の試料から発生する蛍光を受光する集光レンズを対物レンズとして備え、励起光の投光と蛍光の受光を同じレンズで行なう落射光学系を採用している。この対物レンズをキャピラリーカラムの被検出部での配列面と平行で泳動方向と直交する１直線に沿って走査させることにより、すべてのキャピラリーカラムについて蛍光の検出を行なっている。
このような光学系では、検出感度の観点から、少しでも多くの蛍光を集光すべく、対物レンズは被検出部に接近して配置されることが好ましい。そのため対物レンズとして焦点距離の短い集光レンズが用いられる。
【０００５】
【発明が解決しようとする課題】
対物レンズとして焦点距離の短い集光レンズを用いると、キャピラリーアレイの被検出部の位置が励起光の照射方向にわずかにずれただけでも集光される蛍光の量が減少し、検出感度の低下を招く。そのため、検出側ホルダの作成及び検出側ホルダへのキャピラリーカラムの固定時に高い加工精度が要求される。
そこで、本発明は、かかる加工精度の要求を緩和するとともに、キャピラリーアレイの被検出部の位置を再現性よく装置に固定でき、検出感度の低下を抑制することができるマルチキャピラリー電気泳動装置を提供することを目的とするものである。
【０００６】
【課題を解決するための手段】
本発明は、複数のキャピラリーカラムが配列され、キャピラリーカラムは一端側が試料注入側となって試料注入側ホルダにより固定され、他端側が検出側となって検出側ホルダにより平面上に一列に配列されて固定され、キャピラリーカラムの検出側ホルダ位置に被検出部が設けられたキャピラリーアレイと、試料注入側ホルダ及び検出側ホルダが固定され、キャピラリーカラムに試料が１つずつ注入されて、試料注入側の端部がバッファ液に浸され、検出側の端部が別のバッファ液に浸されるとともに、両バッファ液間を通して泳動電圧が印加されて、全てのキャピラリーカラムで同時に電気泳動されるマルチキャピラリーアレイ泳動部と、キャピラリーアレイの被検出部に光を照射し、その光と試料との相互作用による検出光を検出する検出部とを備えたマルチキャピラリー電気泳動装置であって、マルチキャピラリーアレイ泳動部は、検出側ホルダを固定する検出側ホルダ固定部と、検出部と被検出部との平行度を調整する平行度調整機構とを備えたものである。
平行度調整機構により検出部と被検出部との平行度を調整することにより、被検出部の場所によらず一定感度で検出を行うことができる。
【０００７】
【発明の実施の形態】
検出部の検出方式は、被検出部のキャピラリーカラムを１本ずつ順次検出していく走査方式である。走査方式による検出部は、被検出部の１本のキャピラリーカラムに光を集光して投光するとともにその光と試料との相互作用による検出光を受光する落射光学系と、その落射光学系をキャピラリーアレイの被検出部での配列面と平行で泳動方向と直交する１直線に沿って往復方向に移動させる走査機構とを備え、その場合には平行度調整機構は落射光学系の走査軸と被検出部との平行度を調整するものとなる。
【０００８】
走査方式では、検出側ホルダを検出側ホルダ固定部に固定した後、走査機構を動作させて落射光学系を泳動方向と直交する方向に往復移動させ、そのときの検出部の検出信号に基づいて、平行度調整機構により落射光学系の走査軸と被検出部との平行度を調整する。
【０００９】
平行度調整機構の一態様は、検出側ホルダ固定部の取付角度をネジの回転により調整するあおり調整機構であることが好ましい。その結果、簡略な構造及び簡便な操作により、落射光学系の走査軸と被検出部との平行度を調整することができる。
平行度調整機構の他の態様は、落射光学系を走査させたときの検出信号に対応して検出側ホルダ固定部のあおり角度を自動で調整するアクチュエータを備えることが好ましい。その結果、オペレータの負担が軽減することができる。
【００１０】
また、検出部は、被検出部の１本のキャピラリーカラムに光を集光して投光するとともにその光と試料との相互作用による検出光を受光する落射光学系と、落射光学系を泳動方向と直交する１直線に沿って往復方向に移動させるとともに、その一直線に沿って走査させたときの検出信号に対応して被検出部と落射光学系との距離を自動的に調整する走査機構とを備えていることが好ましい。その結果、平行度調整機構を設けることなく、被検出部と落射光学系との距離を適したものにすることができる。
さらに、検出側ホルダ固定部は、検出側ホルダ固定部は、被検出部と落射光学系との間に配置され、被検出部に対応する位置に開口が形成され、被検出部の一方の面が接触される平面を備えた検出位置部材と、被検出部を検出位置部材とは反対側から検出位置部材に押さえつける平面を備えた被検出部押さえつけ部材とを備えることが好ましい。その結果、被検出部における複数本のキャピラリーカラムを検出位置部材の平面上に再現性よく固定することができる。
【００１１】
【実施例】
図１は一実施例を概略的に示す側面断面図である。
キャピラリーアレイ２は分離媒体のゲルが充填された複数のキャピラリーカラムが配列されたものであり、その一端側（下端側）２ａが試料注入側となって試料注入側ホルダ４により二次元的に配列されて固定されており、試料注入用リザーバの試料又は泳動用の下側リザーバのバッファ液と接触する。キャピラリーアレイ２の他端側（上端側）２ｂは検出側となって検出側ホルダ６によりキャピラリーカラムが一列に配列されており、上側リザーババッファ液と接触する。キャピラリーアレイの検出側（２ｂ側）には、キャピラリーカラムが一列に配列されて検出側ホルダ６に支持されている位置に被検出部２ｃが設けられている。
【００１２】
図２、図３及び図４は、この実施例に装着されるキャピラリーアレイの一例を表す概略構成図である。図２は正面図、図３は左側面図、図４は上面図である。
試料注入側ホルダ４は、ガラスキャピラリーカラムを２次元的に配列するための樹脂製のホルダ板４ａ，４ｂの間に、キャピラリーカラムを穴で挟持して固定するシリコーンゴム製のゴム板４ｄが挾み込まれ、固定ネジ４ｃにより一体化されたものである。ホルダ板４ａ，４ｂには、試料導入に使用する３８４穴マイクロプレートの各穴の位置に対応して、キャピラリーカラムを通す穴が１６×２４箇所に設けられている。それらのホルダ板４ａ，４ｂの穴はキャピラリーカラムの外径よりも大きく設定されている。キャピラリーカラムは両ホルダ板４ａ，４ｂ及びその間に挾まれたゴム板４ｄを貫通し、ゴム板４ｄの穴内にゴムの弾性により挟持されることによりホルダ４との間に気密を保って固定されている。
【００１３】
検出側ホルダ６は、密着して平面上に並べられたキャピラリーカラムを下側からはホルダ板６ａにより、上側からはシリコーンゴム製のゴム板６ｄにより挾むことによって固定している。ゴム板６ｄによりキャピラリーカラムをホルダ板６ａに押しつけて固定するために、キャピラリーカラムの配列の両側部でゴム板６ｄをホルダ板６ａに固定するホルダ板６ｂが設けられている。ホルダ板６ａと６ｂは固定ネジ６ｃにより固定されている。
【００１４】
キャピラリーカラムの全長は約５００ｍｍであり、試料注入側の端部から約４００ｍｍの位置に被検出部２ｃが設けられている。被検出部２ｃに検出用ウィンドウを形成するために、ホルダ板６ａ，６ｂ及びゴム板６ｄにはキャピラリーカラムの配列方向に延びた長円形の開口８がそれぞれ開けられ、開口８の重なった部分が被検出部２ｃとなっている。電気泳動の際の信号検出は、その開口８を通して行なわれる。
また、本発明によるマルチキャピラリー電気泳動装置には、後述のように、ホルダ６を固定位置に案内する位置決めピン４４ａが検出部に設けられており、ホルダ６にはその位置決めピン４４ａが通る位置決め穴４４ｂが設けられている。
【００１５】
キャピラリーカラムは、石英ガラスやホウケイ酸ガラス等を材質とするものであり、外形が２００〜３００μｍ、内径が７５〜１００μｍのものである。キャピラリーカラムはその外周をＳｉＯ2など、紫外領域から近赤外領域の励起光によっては蛍光を発生しないか、発生しても蛍光測定の妨げにならない程度である無蛍光材質の被膜により被覆されたものが好ましい。その場合には、被検出部２ｃでも被膜を除去する必要がない。それに対し、キャピラリーカラムが被膜として蛍光を発する樹脂被膜をもったものである場合は、被検出部２ｃではその被膜を除去しておく。
【００１６】
キャピラリーカラム内には分離媒体のゲルとして、ポリアクリルアミドゲル、リニアアクリルアミドゲル、ポリエチレンオキサイド（ＰＥＯ）ゲルなどが充填されている。各キャピラリーカラムには末端塩基別に異なる蛍光物質ＦＡＭ、ＪＯＥ、ＴＡＭＲＡ、ＲＯＸ、Ｒ６Ｇ、Ｒ−１１０などの蛍光物質から選ばれた４種類の蛍光物質により標識された４種類のＤＮＡフラグメントを含む試料がそれぞれ注入され、同時に電気泳動がなされる。
【００１７】
図１に戻って説明を続けると、標識蛍光物質を励起するための励起光源として、アルゴンガスレーザ装置１０が設けられている。アルゴンガスレーザ装置１０は出力が４０〜１００ｍＷで、マルチラインタイプであり、４８８ｎｍや５１４.５ｎｍなどの波長のレーザ光を同時に発振する。
被検出部２ｃのキャピラリーアレイにレーザ装置１０からのレーザビームを励起光として照射し、被検出部２ｃからの蛍光を検出する光学系１２は、図５（Ａ）に詳細に示された落射光学系である。１６はレーザ装置１０からのレーザビーム１４を被検出部２ｃのキャピラリーアレイの面に垂直に照射するミラー、１８は中央部に穴をもち、その穴から励起光ビームを透過させ、鏡面で蛍光を反射させるトンネルミラー、２０は励起光を１本のキャピラリーカラムに集光して投光するとともに、そのキャピラリーカラムを泳動中の試料から発生する蛍光を受光する集光レンズからなる対物レンズである。対物レンズ２０は励起光の投光と蛍光の受光を同じレンズで行なうものであり、落射光学系を構成している。対物レンズ２０で集光された蛍光はトンネルミラー１８の鏡面で反射される。
【００１８】
２２はその反射光から励起光成分を遮蔽し、蛍光を透過させる光学フィルター、２４は検出視野を限定するためのピンホールスリット、２６は光学フィルター２２を透過した蛍光をピンホールスリット２４の位置に結像させる絞りレンズである。キャピラリーカラムでの蛍光発生点がピンホ−ルスリット２４の位置に結像されることにより、共焦点光学系を構成している。励起光除去のための光学フィルター２２としては、エッジフィルターや色ガラスを利用することができる。ピンホールスリット２４は検出視野を小さくして隣接するキャピラリーカラムからの迷光侵入を防ぐためのものである。
【００１９】
ピンホールスリット２４での蛍光像を４つの光束に分割するために、図５（Ｂ）に示されるレンズパネル２８が配置されている。レンズパネル２８は単レンズをカットして張りあわせたものや、ガラスモールド成形品として製作することができる。その４つに分割された光束のそれぞれの光路上には図５（Ｃ）に示される各標識蛍光物質用の異なる分光用フィルターからなるフィルターパネル３０が配置されている。フィルターパネル３０はバンドパスフィルターであり、各標識蛍光物質に対応した４種類の波長特性の異なるフィルターがそれぞれの光路上にくるように並列配置されたものである。各フィルターの透過波長は、末端塩基がＡ（アデニン），Ｇ（グアニン），Ｃ（シトシン），Ｔ（チミン）となる各断片試料を標識している蛍光物質の発光波長に対応したものである。それぞれのフィルターを透過した蛍光を検出するために、それぞれの光路上には４つの光電子増倍管３２が配置されている。
【００２０】
ミラー１６、トンネルミラー１８、対物レンズ２０、光学フィルター２２、ピンホールスリット２４、絞りレンズ２６、レンズパネル２８、フィルターパネル３０及び光電子増倍管３２を含む落射光学系１２は、走査機構３４のステージに取りつけられており、被検出部２ｃでの全てのキャピラリーカラムからの蛍光を検出するために、キャピラリーアレイ２の被検出部２ｃの面に平行で、泳動方向と直交する一直線（図１では紙面垂直方向、図５（Ａ）では上下方向）に沿って往復方向に移動させられるようになっている。レーザービーム１４がミラー１６に入射する方向は、この落射光学系１２の走査方向と平行になるように設定されており、落射光学系１２の走査によってもレーザービーム１４の光軸が変動しないようになっている。
【００２１】
図６は、検出側ホルダ固定部及びその周辺の一実施例を表す構成図であり、（Ａ）は上方から見た断面図、（Ｂ）は（Ａ）のＢ−Ｂ’線に沿った正面から見た断面図、（Ｃ）は（Ａ）のＣ−Ｃ’線に沿った側方から見た断面図であり、（Ａ）は（Ｂ）及び（Ｃ）のＡ−Ａ’線に沿ったものである。ただし、（Ａ）及び（Ｂ）において上側電極５８及び検出側キャピラリー端押さえつけ部材６０の図示は省略され、（Ａ）においては被検出部押さえつけ部材６２の図示も省略されている。
【００２２】
検出側ホルダ６が固定される位置に可動板３６が備えられている。図７は可動板３６を表す構成図であり、（Ａ）は上面図、（Ｂ）は正面図、（Ｃ）は右側面図である。
可動板３６は基板３６ａと検出位置板３６ｂとから構成されている。基板３６ａには、落射光学系１２が走査される方向に長孔開口３８が形成されている。開口３８上には、検出側ホルダ６の開口８より少し小さい寸法をもつ検出位置板３６ｂが配置されている。検出位置板３６ｂには、基板３６ａ側に落射光学系走査溝４０が形成されており、その走査溝４０の底面には光照射窓４２となる長孔開口が形成されている。落射光学系１２の対物レンズ２０側は長孔開口３８及び走査溝４０内に配置されて長孔開口３８に沿って走査される。
【００２３】
基板３６ａには、ホルダ６の位置決め穴４４ｂに対応する位置に位置決めピン４４ａが２つ配置されている。ホルダ６は、位置決めピン４４ａと位置決め穴４４ｂの位置及び検出位置板３６ｂとホルダ６の開口８の位置を合わせることにより、可動板３６に正確に配置される。
さらに基板３６ａには、ホルダ６の４角に対応する位置に止めネジ４６が配置されている。止めネジ４６を回転させて、止めネジ４６が基板３６ａから突出する長さを調整することにより、ホルダ６が配置される高さを調整することができる。
【００２４】
さらに基板３６ａには、基板３６ａの一辺側の２箇所に基板３６ａを貫通して設けられた２つのあおり調整ネジ４８ａと、あおり調整ネジが配置された一辺側と対向する一辺側の検出位置板３６ｂとは反対側の面に設けられたあおり調整支点ピン４８ｂとから構成されるあおり角度調整機構が備えられている。あおり調整ネジ４８ａを回転させることにより、可動板３６と落射光学系１２の走査軸との平行度を調整することができる。
ホルダ６は、可動板３６の両端側付近に設けられた２個のクランプ５０を締め付けることにより可動板３６に固定される。
【００２５】
可動板３６が配置される付近にはキャピラリーアレイ端２ｂが浸されるバッファ液を収容する上側リザーバ５２と、可動板３６上及び上側リザーバ５２上を被うカバー５４が設けられている。カバー５４は、カバー開閉軸５６を中心として開閉できるようになっている。
カバー５４には、筒状の絶縁部材に被われて上側電極５８が取りつけられており、カバー５４を被せた状態で上側電極５８が上側リザーバ５２のバッファ液に接触する。カバー５４にはキャピラリーアレイ端押さえつけ部材６０が配置されており、キャピラリーアレイ端２ｂは押さえつけ部材６０により上側リザーバ５２側に曲げられてバッファ液に浸される。
【００２６】
カバー５４には、被検出部２ｃに対応する位置に被検出部押さえつけ部材６２が設けられている。押さえつけ部材６２にはホルダ６の開口８より小さい寸法の平面が形成されており、その平面にはシリコーンゴム製のゴム板６４が貼り付られている。押さえつけ部材６２は、カバー５４に設けられた４本の棒状部材６６により、被検出部２ｃの面に直交する方向に摺動可能に取り付けられている。棒状部材６６にはカバー５４と押さえつけ部材６２との間にバネ６８がそれぞれ配置されており、ホルダ６を可動板３６に配置した後、カバー５４を閉じたときに、押さえつけ部材６２がシリコーンゴム板６４を介して被検出部２ｃを検出位置板３６ｂに適当な圧力で押さえつけるようになっている。
本発明の検出側ホルダ固定部は、可動板３６、あおり調整ネジ４８ａ、あおり調製支点ピン４８ｂ、クランプ５０及び被検出部押さえつけ部材６２から構成される。
【００２７】
図１に示されるように、検出側ホルダ４は泳動チャンバ６６内に固定される。チャンバ６６の下側には下側電極６８が取りつけられており、試料注入用リザーバ又は泳動用の下側リザーバのバッファ液がキャピラリーアレイ２の下端２ａに接触する位置まで押し上げられたときに、下側電極６８がその下側のリザーバ内のバッファ液に接触してキャピラリーアレイ２の下端２ａと導通するようになっている。両電極５８，６８を通して高圧電源装置から両リザーバのバッファ液間に試料注入用電圧又は泳動電圧が印加される。その電源電圧は例えば３０ｋＶで、電流容量は１０〜３０ｍＡである。
【００２８】
キャピラリーアレイ２の試料注入側端２ａの下側には、泳動用リザーバと試料注入用リザーバ７０が水平面内に並べて、Ｘ−Ｚサンプルステージ７２上に支持されている。Ｘ−Ｚサンプルステージ７２は、サンプルステージ移動機構７４により、いずれかのリザーバを試料注入側端２ａの下方に位置決めする水平方向（Ｘ方向：図１では紙面垂直方向）の移動と、リザーバ内のバッファ液を試料注入側端２ａに接触させたり、試料注入側端２ａから引き離したりするための垂直方向（Ｚ方向：図１では上下方向）の移動を行なう。
【００２９】
リザーバ７０にはキャピラリーアレイ２の下端２ａのキャピラリー端の配列に対応したウエルが形成されたサンプルタイタープレート７６が乗せられる。サンプルタイタープレート７６はウエルの底が貫通し、その貫通した底にはメンブレンが張られ、それぞれのウエルのメンブレン上には試料が吸着されている。リザーバ７０中のバッファ液がメンブレンと接触し、バッファ液を通して下側電極６８から試料注入側端２ａのキャピラリーカラム端に試料注入用の電圧が印加される。
【００３０】
次に、検出側ホルダ６を可動板３６に固定し、被検出部２ｃの平面と落射光学系１２の走査軸との平行度を調整する動作を説明する。
各キャピラリーカラムの被検出部２ｃに蛍光色素を充填したキャピラリーアレイ２を用意し、そのキャピラリーアレイ２のホルダ６をカバー５４を開けて位置決めピン４４ａと位置決め穴４４ｂの位置を合わせて可動板３６に配置し、クランプ５０により締め付けて固定する。これにより、キャピラリーアレイ２の被検出部２Ｃを再現性よく装置に固定することができる。
カバー５４を閉めて、押さえつけ部材６２により被検出部２ｃを検出位置板３６ｂに押しつけて検出位置板３６ｂの平面に沿って光照射窓４２上に固定するとともに、押さえつけ部材６０によりキャピラリーアレイ２の検出側端２ｂ上側リザーバ５２のバッファ液に浸す。
【００３１】
落射光学系１２を走査させ、ピンホールスリット２４上に結像される像を観察し、被検出部２ｃと対物レンズ２０との距離が適当であるか否かを判断する。被検出部２ｃと対物レンズ２０との距離が適当でない場合は、あおり調整ネジ４８ａを回転させて被検出部２ｃと対物レンズ２０との距離を調整する。これにより、検出側ホルダの作成及びキャピラリーアレイの作成における加工精度の要求を緩和し、検出感度の低下を抑制することができる。さらに、被検出部２ｃと落射光学系１２との距離を調整することができるので、キャピラリーアレイ２に配列されるキャピラリーカラムの種々の外径寸法に適応することができる。さらに、キャピラリーカラムの製造ロット差による外径寸法公差を許容することもできる。
【００３２】
この実施例では、あおり角度調整機構として、２個のあおり調整ネジとあおり調整支点ピンとを用いているが、これに限定されるものではなく、例えばピエゾ素子などのアクチュエータを用いて、落射光学系を走査させたときの検出信号に対応してあおり角度を自動的に調整するようにしてもよい。
また、あおり角度調整機構の代わりに、落射光学系を照射光の光軸方向に移動させるアクチュエータを設けて、落射光学系を走査させたときの検出信号に対応して被検出部と落射光学系との距離を自動的に調整するようにしてもよい。
【００３３】
【発明の効果】
本発明のマルチキャピラリー電気泳動装置では、被検出部押さえつけ部材によりキャピラリーアレイの被検出部を可動板の平面上に固定した後、あおり調整機構により可動板のあおり角度を調整して、被検出部と落射光学系の走査軸との平行度を調整できるようにしたので、検出側ホルダの作成及び検出側ホルダへのキャピラリーカラムの固定時の加工精度の要求を緩和するとともに、被検出部の位置を再現性よく装置に固定でき、検出感度の低下を抑制することができる。
【図面の簡単な説明】
【図１】  一実施例を概略的に示す側面断面図である。
【図２】  同実施例に装着されるキャピラリーアレイの一例を表す正面図である。
【図３】  同キャピラリーアレイの左側面図である。
【図４】  同キャピラリーアレイの上面図である。
【図５】  同実施例における光学系を表す概略図であり、（Ａ）は側面断面図、（Ｂ）は（Ａ）に用いられるレンズパネルを表す斜視図、（Ｃ）は（Ａ）で用いられるフィルタパネルを表す斜視図である。
【図６】  同実施例における検出側ホルダ固定部及びその周辺の一実施例を表す概略構成図であり、（Ａ）は上方から見た断面図、（Ｂ）は（Ａ）のＢ−Ｂ’線に沿った断面図、（Ｃ）は（Ａ）のＣ−Ｃ’線に沿った断面図であり、（Ａ）は（Ｂ）及び（Ｃ）のＡ−Ａ’線に沿ったものである。
【図７】  同検出側ホルダ固定部における可動板を表す概略構成図であり、（Ａ）は上面図、（Ｂ）は正面図、（Ｃ）は右側面図である。
【符号の説明】
２      キャピラリーアレイ
２ａ    キャピラリーアレイの試料注入側端
２ｂ    キャピラリーアレイの検出側端
２ｃ    被検出部
４      試料注入側ホルダ
６      検出側ホルダ
８      開口
１２      落射光学系
３６      可動板
３６ａ    基板
３６ｂ    検出位置板
３８      長孔開口
４０      落射光学系走査溝
４２      光照射窓
４６      止めネジ
４８ａ    あおり調整ネジ
４８ｂ    あおり調整支点ピン
５０      クランプ
５２，７０      リザーバ
５４      カバー
５８，６８      電極
【図１】
0004321910.tif 000002
【図２】
0004321910.tif 000003
【図３】
0004321910.tif 000004
【図４】
0004321910.tif 000005
【図５】
0004321910.tif 000006
【図６】
0004321910.tif 000007
【図７】
0004321910.tif 000008